(57)【要約】【課題】テーブルや椅子の上面に対して、確実にバッグハンガを係止させる。【解決手段】トップフック７と、トップフック７に連続する支軸３と、支軸３の下部に取り付けられるボトムフック５０と、トップフック７の上部に取り付けられる二つのトップアーム１００，１０１とからバッグハンガ１を構成する。トップアーム１００，１０１を、テーブル上面４０３に沿って相互が拡開する開位置、及び相互が閉じる閉位置との間で変位可能に構成する。開位置の二つのトップアーム１００，１０１とトップフック７の先端部とにより、テーブル上面４０３に三カ所支持でバッグハンガ１を取り付ける。トップフック７にトップノブ６０を設ける。ボトムフック５０にリンクデバイス６５を取り付けて、バッグ３００のハンドル部分３０１にリング７０を取り付ける。バッグ３００をリンクデバイス６５、ボトムフック５０、トップノブ６０のいずれかにより吊り下げることができる。【選択図】図２
2011036659.tif 000002
【特許請求の範囲】
【請求項１】
掛け吊り用の上面に掛けられるトップフックと、
前記トップフックに連続する支軸と、
前記支軸の下部に取り付けられるボトムフックと、
前記トップフックの上部に取り付けられる二つのトップアームとを備え、
前記トップアームは、前記掛け吊り用の上面に沿って相互が拡開する開位置、及び相互が閉じる閉位置との間で変位可能であり、前記開位置の二つのトップアームと前記トップフックの先端部とにより前記掛け吊り用の上面に三カ所支持で取り付けられることを特徴とするバッグハンガ。
【請求項２】
前記トップフックの上部に設けられ、バッグのハンドル部分が掛けられるトップノブを有することを特徴とする請求項１記載のバッグハンガ。
【請求項３】
前記トップアームは、前記トップノブに回転可能に取り付けられるアーム本体と、このアーム本体のトップノブ側とは反対側の自由端部に取り付けられるヒンジと、前記ヒンジにより連結される中間拡張子とを有し、
前記ヒンジにより前記掛け吊り用の上面に沿って前記中間拡張子が開いて該上面に係止する使用位置と、前記トップフックに向けて前記中間拡張子が折り畳まれる退避位置との間で変位可能であることを特徴とする請求項２記載のバッグハンガ。
【請求項４】
前記中間拡張子の前記掛け吊り用の上面に接触する部分は滑り止め部材を有することを特徴とする請求項３記載のバッグハンガ。
【請求項５】
前記トップフックのフック先端とは反対側の下部、または前記支軸の上部には、前記フック先端に向けて突出し、前記掛け吊り用の上面から鉛直下方に延びる側面に接触する側面接触突起部を有することを特徴とする請求項４記載のバッグハンガ。
【請求項６】
前記トップフックの内面には小突起を形成し、この小突起を前記掛け吊り用の上面に当てることを特徴とする請求項４または５記載のバッグハンガ。
【請求項７】
前記小突起は、前記トップノブよりも前記フック先端から遠ざかる位置で形成されていることを特徴とする請求項６記載のバッグハンガ。
【請求項８】
前記掛け吊り用の上面に当たる前記小突起の下端面に、滑り止め部材を設けたことを特徴とする請求項６または７記載のバッグハンガ。
【請求項９】
前記ボトムフックに取り付けられ、前記バッグのハンドル部分に接続される接続部材を有することを特徴とする請求項５から８いずれか１項記載のバッグハンガ。
【発明の詳細な説明】
【技術分野】
【０００１】
本発明は、ハンドバッグや買い物袋などのバッグをテーブルや椅子に掛けるためのバッグハンガに関する。
【背景技術】
【０００２】
ハンドバッグは、財布、身分証明書、薬などの個人的な品物を入れる他に、重要なファッションアクセサリとなっている。また、ハンドバッグは持ち主のスタイルに合わせて使用され、単なる物入れとしてではなく、バッグ自体にも価値がある。したがって、バッグをフロアに置いたりすると汚れが気になる。また、椅子の後ろに掛けたりして視野に入らなくなると、盗まれたり、忘れたりする可能性がある。このため、バッグの持ち主は、テーブルやカウンターの前に座る場合に、バッグをフロアや椅子の後ろに置いたりすることを躊躇する。
【０００３】
テーブルにハンドバッグを掛けるためのバッグハンガは、従来からいろいろと提案されてきている。基本的なバッグハンガは、二方の端にフックを有するＳ型の物が多い(例えば、特許文献1参照)。このＳ型バッグハンガでは、上端のフックをテーブルの上面に掛けてテーブルの横から下げ、下端のフックにバッグを吊るしている。また、特許文献２には、偏平な方形をなした収納ケースに、回動立伏板、蓋兼用の支持板、折返片、折り返し片の支持孔に遊嵌される掛吊り用フックを設けたバッグハンガも提案されている。さらには、特許文献３には、取り付ける台板の面に載置する摩擦板を有する支持板を設け、前記摩擦板を介して台板に支持板を係止させるようにしたバッグハンガが提案されている。
【先行技術文献】
【特許文献】
【０００４】
【特許文献１】特開２００９−１０１１０４号公報
【特許文献２】実用新案登録第３１４２２６６号公報
【特許文献３】特開２００５−７３８３１号公報
【発明の概要】
【発明が解決しようとする課題】
【０００５】
しかしながら、特許文献１〜３のバッグハンガは、テーブルの上面が平らでない場合や、テーブルの側面が鉛直下方に長く形成されており、テーブルの下方に空間が無い場合などには、トップフックをテーブル等の上面に係止させることが難しく、滑ってしまってうまくバッグハンガを掛けることができない場合がある。また、テーブルの上面が平らであっても、その縁部を大きく断面円弧形状に面取り加工し丸みを帯びたものでは、この縁部が丸みを帯びてしまっているため、トップフックが丸み部分で滑ってしまい、バッグハンガを係止させることができないという問題がある。さらに、従来のものでは、テーブルや椅子の高さが低い場合に、バッグハンガに吊るすと、バッグが床についてしまうという問題もある。
【０００６】
そこで、本発明は、テーブル上面などの掛け吊り用の上面が平らで無い場合や、平らであっても縁部が丸みを帯びるように面取り加工させている場合でも、確実にバッグを吊り下げることができるようにしたバッグハンガを提供することを目的とする。
【課題を解決するための手段】
【０００７】
上記目的を達成するために、本発明は、掛け吊り用の上面に掛けられるトップフックと、前記トップフックに連続する支軸と、前記支軸の下部に取り付けられるボトムフックと、前記トップフックの上部に取り付けられる二つのトップアームとを備え、前記トップアームは、前記掛け吊り用の上面に沿って相互が拡開する開位置、及び相互が閉じる閉位置との間で変位可能であり、前記開位置の二つのトップアームと前記トップフックの先端部とにより前記掛け吊り用の上面に三カ所支持で取り付けられることを特徴とする。
【０００８】
また、本発明は、前記トップフックの上部に設けられ、バッグのハンドル部分が掛けられるトップノブを有することを特徴とする。そして、前記トップアームは、前記トップノブに回転可能に取り付けられるアーム本体と、このアーム本体のトップノブ側とは反対側の自由端部に取り付けられるヒンジと、前記ヒンジにより連結される中間拡張子とを有し、前記ヒンジにより前記掛け吊り用の上面に沿って前記中間拡張子が開いて該上面に係止する使用位置と、前記トップフックに向けて前記中間拡張子が折り畳まれる退避位置との間で変位可能であることを特徴とする。
【０００９】
また、本発明は、前記トップフックのフック先端とは反対側の下部、または前記支軸の上部には、フック先端に向けて突出し、前記掛け吊り用の上面から鉛直下方に延びる側面に接触する側面接触突起部を有することを特徴とする。また、本発明は、前記トップフックの内面には小突起を形成し、この小突起を前記掛け吊り用の上面に当てることを特徴とする。なお、前記小突起は、前記トップノブよりも前記フック先端から遠ざかる位置で形成することが好ましい。また、前記掛け吊り用の上面に当たる前記小突起の下端面に、滑り止め部材を設けることが好ましい。また、前記ボトムフックに取り付けられ、前記バッグのハンドル部分に接続される接続部材を有することが好ましい。
【００１０】
また、前記支軸に対し略垂直になる開状態に変位可能であり、前記開状態のときに小棚を形成する複数のボトムアームを有することが好ましい。そして、前記複数のボトムアームは、一端が前記支軸に対し軸周り方向に回転可能に取り付けられているボトムアーム本体と、前記ボトムアーム本体の他端に設けられるヒンジと、前記ヒンジにより連結されて前記開状態と閉状態との間で変位可能な中間拡張子とを有することが好ましい。さらに、前記中間拡張子は、先端に旋回ヒンジと、この旋回ヒンジにより回転自在に取り付けられ、該中間拡張子の延長方向に位置する開位置と、該中間拡張子に重なる閉位置との間で変位可能な先端拡張子とを有することが好ましい。
【発明の効果】
【００１１】
本発明によれば、トップフックと２本のトップアームとにより３点支持にて、机や椅子の上面などに係止するので、バッグハンガが上面などから脱落することなく、確実に引っかけることができる。また、トップフックにバッグのハンドル部分がかけられるトップノブを備えることにより、机や椅子などの上面が低い場合でも、確実にバッグを吊り下げることができる。
【図面の簡単な説明】
【００１２】
【図１】本発明のバッグハンガの側面図であり、トップアームとボトムアームを伸ばした状態を示している。
【図２】バッグハンガの使用状態を示す斜視図で、テーブルの上面の下方に空間がある場合を示している。
【図３】同じくバッグハンガの使用状態を示す斜視図であり、テーブルの端面が鉛直下方に延びて上面の下方に空間が無い場合を示している。
【図４】バッグハンガの支軸伸縮部の作用を示す側面図である。
【図５】バッグハンガをバッグのアクセサリとして携帯している状態を示す正面図である。
【図６】同側面図である。
【図７】バッグハンガのトップアームとボトムアームを展開した状態を示す平面図である。
【図８】トップアームのトップノブへの取り付け状態を示す正面図である。
【図９】小突起を設けた別の実施形態のトップフックを示す側面図である。
【発明を実施するための形態】
【００１３】
図１は本発明のバッグハンガの一実施形態の側面図である。バッグハンガ１は、支軸３、支軸伸縮部５、トップフック７、ボトムアーム１０，１１、ボトムフック５０、トップノブ６０、接続部材としてのリンクデバイス６５、トップアーム１００，１０１及びテーブル側面接触突起部２００を備えている。
【００１４】
下から順に、ボトムフック５０、支軸３、支軸伸縮部５、トップフック７及びトップノブ６０によりハンガ本体２が構成されている。ハンガ本体２は、図２及び図３に示すように、使用状態においてトップフック７を上にし、ボトムフック５０を下にした状態で鉛直方向に配置される。また、図５及び図６に示すように、不使用状態ではリンクデバイス６５によりバッグ３００のハンドル部分３０１に吊り下げて携帯される。携帯時には、バッグ３００の外側に垂らしてアクセサリとして用いてもよく、また、バッグ３００内に収納してもよい。更には、リンクデバイス６５を用いることなく、そのままバッグ３００に入れて携帯してもよい。
【００１５】
図１に示すように、支軸３の下端にはボトムフック５０が固定されている。支軸３は、折曲部３ａ，３ｂにより折り曲げられており、下鉛直部３ｃ、斜め部３ｄ、上鉛直部３ｅが形成されている。下鉛直部３ｃ及び上鉛直部３ｅは使用状態において鉛直方向に延びている。ボトムフック５０は、下鉛直部３ｃの下端に対し固定されており、斜め部３ｄの鉛直下方に位置するようにその向きが配置されている。
【００１６】
支軸伸縮部５は、支軸３の上端とトップフック７の下端に取り付けられている。図４に示すように、この支軸伸縮部５は、トップフック７の下端の締結リング５ａを緩めると、支軸３とトップフック７との締結状態が解除され、支軸３内に隠れていた伸縮ロッド６が出てきて、伸縮ロッド６の長さ分だけ支軸３が伸長する。なお、伸長の方法やその固定方法、または締結方法などは図示例のものに限定されない。
【００１７】
図１に示すように、トップフック７は、半円弧状のフック本体７ａと、く字状に折り曲げられたテーブル側面接触突起部２００とから構成されている。テーブル側面接触突起部２００は、フック本体７ａに対し内側に向かって窪むように形成されている。支軸伸縮部５で連結されるトップフック７と支軸３とボトムフック５０は同一平面内に配置され、Ｓ字形状をしている。そして、図５に示すように、正面から見たときに一直線状になり、不使用状態において各アーム１０〜１３，１００，１０１を最小形態で折り畳むことができる。なお、テーブル側面接触突起部２００は、トップフック７以外にも、支軸３に形成してもよい。
【００１８】
図１に示すように、トップフック７のフック本体７ａの上部には、上方に向かって延びるようにトップノブ６０が一体的に形成されている。トップノブ６０は、先端のハート型のノブ本体６１と、これに続く鼓状のハンドル掛け部６２と、アーム取付軸部６３，６４（図８参照）とから構成されており、アーム取付軸部６３，６４の下端がフック７の上部に取り付けられている。トップノブ６０とフック７と支軸３は一体的に構成する他に、各種固着手段で組み合わせて一体化したものであってもよい。なお、必要に応じて、適宜に各種装飾が施される。このトップノブ６０には、図２に示すように、バッグ３０５のハンドル部分３０６が掛けられる。このように、テーブル４００の上面４０３からバッグ３０５を直接に吊り下げることができるため、テーブル４００の上面４０３や、もしくは椅子の上面などの掛け吊り用の上面が床から低い場合にも、従来の下側のフックを用いるものに比べて、高い位置から吊り下げることができ、バッグ３０５が床に着いてしまうということが少なくなる。なお、掛け吊り用の上面はテーブルや椅子に限られず、棚やその他の係止可能物の上面に掛けることができる。
【００１９】
トップノブ６０とトップフック７との間で、トップノブ６０の基部には１対のトップアーム１００，１０１が、トップノブ６０周りに１８０度回転可能に取り付けられている。図１及び図８に示すように、トップアーム１００，１０１は、アーム本体１００ａ，１０１ａと、ヒンジ１０２，１０３と、中間拡張子１１０，１１１と、中間拡張子１１０，１１１のテーブル接触面に貼り付けられている滑り止め部材９９から構成されている。滑り止め部材９９は、テーブル４００の上面４０３との間で摩擦係数の高いものが選択使用される。例えば、ゴム板や軟質部材などが用いられる。また、ゴム板や軟質部材に代えて、中間拡張子のテーブル接触面に微細な凹凸を形成して滑り止めとしたものでもよい。
【００２０】
図８に示すように、アーム本体１００ａ，１０１ａは略円弧状に湾曲している。このアーム本体１００ａ，１０１ａは一端に取付端部１０４，１０５を有し、他端にヒンジ１０２，１０３を有する。取付端部１０４，１０５は、トップノブ６０の下端部の二股状に別れた取付軸部６３，６４に１８０度の範囲で回動可能に取り付けられており、図示しないフリクション機構によって任意の回転角度で停止させることができる。なお、フリクション機構に代えて、クリック機構によって取付軸部６３，６４へ固定してもよい。このようにして、取付端部１０４，１０５により、トップアーム１００，１０１は、トップノブ６０に対し任意の回転角度で固定させることができ、例えば図７に示すように、トップアーム１００，１０１同士を任意の拡開角度で、例えば８０度で開くことができる。
【００２１】
図１に示すように、ヒンジ１０２，１０３により、中間拡張子１１０，１１１がトップアーム本体１００ａ，１０１ａの先端に回転自在に接続されている。ヒンジ１０２，１０３は、中間拡張子１１０，１１１を、図２及び図３に示すようにテーブル上面４０３に沿う係止位置と、図６に示すように下方に向けて垂直に位置させる閉位置との間で選択的に位置させる。なお、図６ではハンガ本体２が不使用状態とされており、図１とはハンガ本体２の向きが上下逆になっている。
【００２２】
図２及び図３に示すように、係止位置ではヒンジ１０２，１０３により中間拡張子１１０，１１１が上面４０３に沿って延びた状態になる。二つのトップアーム１００，１０１をトップノブ６０の周りに適宜角度を開けて放射線方向に配置し、中間拡張子を係止位置とすることにより、二つのトップアーム１００，１０１と中央のトップフック７の先端とにより、三カ所支持にて、ハンガ本体２をテーブル４００の上面４０３に確実に係止させることができる。しかも、中間拡張子１１０，１１１を係止位置として拡げることで、広い面積にて安定的にバッグハンガ１を上面４０３に係止させることができる。
【００２３】
ハンガ本体２には、トップアーム１００，１０１の他に、ボトムアーム１０，１１，１２，１３が、ボトムフック５０の近くで支軸３に対し回転自在に取り付けられている。このボトムアーム１０〜１３は、支軸３に対し任意の回転角度で停止させることができ、例えば図２に示すように、ボトムアーム１０〜１３を任意の拡開角度で開くことができる。なお、ボトムアーム１０〜１３は、ボトムフック５０の近くに取り付けることにより、小棚４９として利用する時に、小棚４９の上部に多くのスペースを確保することができる。
【００２４】
ボトムアーム１０〜１３は、アーム本体１０ａ，１１ａ，１２ａ，１３ａと、ヒンジ１５，１６，１７，１８と、中間拡張子２０，２１，２２，２３と、先端拡張子４０，４１，４２，４３とから構成されている。アーム本体１０ａ〜１３ａの一端には取付端部が形成されていて、この取付端部によりアーム本体１０ａが、支軸３に回転自在に取り付けられる。この取付構造は図８に示すトップアーム１００，１０１の取付構造と同様である。すなわち、支軸３が二股状に別れた取付軸部となっており、これに任意角度で停止自在に取り付けられる。
【００２５】
図２に示すように、アーム本体１０ａ〜１３ａの支軸３に対する取り付け側とは反対側の自由端には、ヒンジ１５〜１８が設けられている。このヒンジ１５〜１８により、中間拡張子２０〜２３がボトムアーム１０〜１３の先端に回転自在に接続されている。ヒンジ１５〜１８は、中間拡張子２０〜２３をアーム本体１０ａ〜１３ａの延長方向に位置させる開位置と、図６に示すように、中間拡張子２０〜２３をアーム本体１０ａ〜１３ａに対し上方に向けて９０度折り曲げた閉位置との間で選択的に位置させる。開位置ではアーム本体１０ａ〜１３ａに対し一直線状に連結された状態になる。また、中間拡張子２０〜２３の先端には旋回ヒンジ３０〜３３を介して、先端拡張子４０〜４３が取り付けられる。
【００２６】
旋回ヒンジ３０〜３３は、先端拡張子４０〜４３を中間拡張子２０〜２３に重ねた格納位置と、この格納位置から１８０度回転して、中間拡張子２０〜２３の延長方向に延びるように取り付けられる拡開位置との間で変位する。したがって、図２及び図３に示すように、ボトムアーム１０〜１３を支軸３の周りに適宜角度を開けて放射線方向に配置し、更に中間拡張子２０〜２３を開位置とし、先端拡張子４０〜４３を拡開位置とすることで、４つのボトムアーム１０〜１３により小棚４９を形成することができる。この小棚４９には、ノートや本やその他の小物などを載せることができる。
【００２７】
リンクデバイス６５は、リング７０とチェーン７１とから構成されている。なお、リンクデバイス６５は、バッグのハンドル部分などにバッグハンガ１を取り付けることができればよく、リング７０とチェーン７１に限られない。例えば、リング７０に代えて、クランプを用いてもよい。また、チェーン７１に代えて、紐やその他のコード、バンド等の連結部材であってもよい。なお、チェーンは短くすることで、携帯に便利な他にチェーンを用いて吊るす場合には、短い状態で吊るすことができ、ハンドル部分が長いバッグ等であっても、バッグが床に付くことなく使用することができる。また、チェーンを太くすることにより、強度を上げることができ、重いバッグであってもリンクデバイス６５を用いて吊るすことができる。
【００２８】
トップフック７の内側には、図９に示すように、小突起２５０を設けてもよい。この小突起２５０は、二つのトップアーム１００，１０１とトップフック７の先端部との三カ所の支持に加えて、四カ所目の支持部となる。この小突起２５０を追加することで、係止を確実に行うことができる。例えば、バーのカウンターのように、手が触れるテーブルの上面と端面との角部分を丸く面取り加工し、その上面に革などが張られてテーブル上面から盛り上がっている場合でも、小突起２５０による四カ所目の支持部と、テーブル側面接触突起部２００による５カ所目の支持とよって、丸く面取りされた部分からトップフック７の先端が脱落してしまうこともなく、確実にバッグハンガ１を取り付けることができる。なお、小突起２５０の下端面またはこの下端面を含む下端部には、ゴムまたは軟質部材からなる滑り止め板または滑り止めキャップ２５１を設けることが好ましい。
【００２９】
バッグハンガ１を構成する各部材は、アルミニウムやその他の軽量な金属で形成することが好ましい。なお、軽量金属以外でも、他の自然素材または合成素材から構成することができる。例えば、各種金属合金、木材、または他の繊維植物製品、麻、紙、段ボール、ガラス、グラファイト、ガラス繊維、ホウ素またはケブラーなどの複合材料、樹脂、硬質な革、骨や、これらを組み合わせた複合材料などを用いることができる。また、各部のサイズや形状は、適宜に変更が可能であり、多様な各種態様で実施することができる。
【００３０】
また、トップアーム１００，１０１やボトムアーム１０〜１３の拡縮構造も、ヒンジ結合の他に、折り畳み式、テレスコープ式など任意の連結方式を用いることができる。
【００３１】
以上のように、図２及び図３に示すように、使用状態では、トップアーム１００，１０１を拡開させて三カ所の支持にて上面４０３に係止させることができ、脱落することなく確実な係止が行える。また、閉状態では図５及び図６に示すように、小さく折り畳むことができ、携帯に便利になる。なお、本発明のバッグハンガ１は各種装飾を施すことが好ましい。例えば、全体の形態を、果物や野菜、蝶やバッタなどの昆虫や、その他の鳥とか花とか、いろいろな動植物や造形物などに似せて形成し、それに加えて適宜宝石などを付加することで、より装飾性を高めることができる。このとき、各アーム１０〜１３、１００，１０１を羽根や足、さらには花びら等として形成することができる。
【００３２】
図２は、バッグハンガ１の使用状態を側面から見た斜視図であり、テーブル４００の上面４０３に、２本のトップアーム１００，１０１を拡げた状態を示している。この２本のトップアーム１００，１０１とトップフック７とによる三カ所の支持で、バッグハンガ１をテーブル４００の上面４０３に係止させている。ボトムフック５０に取り付けられたリンクデバイス６５のリング７０に、バッグ３００のハンドル部分３０１が取り付けられており、リンクデバイス６５によりバッグ３００をそのまま、吊り下げることができる。なお、必要に応じて、ハンドル部分３０１をボトムフック５０に直接に吊り下げてもよい。更には、ハンドル部分３０６が長いバッグ３０５の場合には、トップノブ６０にハンドル部分３０６を掛けることで、床に付くことなくバッグ３０５を掛けることができる。また、ボトムフック５０やトップノブ６０には、バッグ３００，３０５の他に買い物袋（図示せず）などを吊り下げることもできる。
【００３３】
このように、リンクデバイス６５を用いた第１の吊り下げと、ボトムフック５０を用いた第２の吊り下げと、トップノブ６０を用いた第３の吊り下げを選択することができる。したがって、バッグ３００，３０５のハンドル部分３０１，３０６の長さやテーブル４００の床から上面４０３までの高さに応じて、これらいずれかの吊り下げ態様を選択することで、バッグ３００，３０５を床に接触させることなく、吊り下げることができる。
【００３４】
また、図２及び図３に示すように、４本のボトムアーム１０〜１３を略等間隔の開き角度で開き、且つ中間拡張子２０〜２３、先端拡張子４０〜４３をボトムアーム本体１０ａ〜１３ａの延長方向に伸ばすことで、小棚４９を構成することができる。この小棚４９には、本、ノートやペーパーバッグ、そして、ボトムフック等には掛けることができない小物などを置くことができる。このとき、側面接触突起部２００をテーブル４００の端面４０２に当てることで、小棚４９を水平に保つことができ、小棚４９に載せたノートなどが脱落することがなくなる。図２では、テーブル４００の端面４０２はテーブル４００の足４０１よりも外側に張り出しているため、張り出したテーブル４００の下方に、小棚４９を形成することができる。したがって、人がテーブル４００の側を通ったとしても、バックハンガ１や小棚４９にぶつからない様な状態になる。
【００３５】
図３は、端面４１０が鉛直下方まで延びたテーブル４０５に、本発明のバッグハンガ１を取り付けた状態を側面から見た斜視図である。図３では、端面４１０の外側に、ボトムアーム１０〜１３を拡げて小棚４９を形成した使用例を示している。なお、図３では、バッグ３００のハンドル部分３０１をボトムフック５０に掛けているが、これは図２と同様にリンクデバイス６５を用いて吊り下げても、またはトップノブ６０を用いて吊り下げてもよい。この場合にも、側面接触突起部２００を端面４１０に当てることで、小棚４９を水平に保持することができる。また、バッグ３００の他に、買い物袋などを吊り下げることができる。
【００３６】
支軸３が短くてバランス良く、トップアーム１００，１０１及びトップフック７がテーブル４００の上面４０３に展開できない場合に、図４に示すように、支軸伸縮部５を伸ばして使用する。これにより、伸ばした支軸３の下端にあるボトムフック５０、またはリンクデバイス６５にバッグ３００を吊るすことで、バッグ３００の重量をトップアーム１００，１０１及びトップフック７がテーブル上面４０３に係止する方向に作用させることができ、安定的にバッグハンガ１を使用することができる。
【００３７】
図５及び図６は、バッグハンガ１の携帯状態を示している。携帯状態では、バッグ３００のハンドル部分３０１を、リンクデバイス６５のリング７０に通しておき、バッグ３００のアクセサリとして使用することができる。この携帯状態では、リンクデバイス６５でバッグハンガ１がハンドル部分３０１に吊り下げられる。そして、ボトムアーム１０〜１３及びトップアーム１００，１０１がコンパクトに折り畳まれる。したがって、嵩張ることなく、携帯に便利となる。また、コンパクトに折り畳んだ状態で、果物、野菜、昆虫や鳥、花などの形態に似せることで、装飾的効果も得られる。
【００３８】
図６は、図５に示すバッグハンガ１を折り畳んだ状態を９０度回転させた状態を示している。ボトムアーム本体１０ａ，１１ａに対し、中間拡張子２０，２１を９０度に折り畳み、且つ中間拡張子２０，２１に対し先端拡張子４０，４１を１８０度回転させて両者を重ね合わせることで、コンパクトに折り畳むことができる。また、トップアーム本体１０１ａに対し中間拡張子１１１を９０度に折り畳むことで、中間拡張子１１１を支軸３に沿って配置させることができ、コンパクトに折り畳むことができる。なお、他のトップアーム及びボトムアームも同様にして折り畳まれる。
【００３９】
図７は、バッグハンガ１の各アーム１０〜１３、１００，１０１を拡開した状態を上から見た平面図である。トップアーム１００，１０１をトップフック７に対して、４０度ずつ振り分けで拡開することで、２本のトップアーム１００，１０１と一つのトップフック７とにより三カ所の支持でテーブル上面４０３にバッグハンガ１を係止することができる。また、１対のボトムアーム同士１０，１２、１１，１３を約８０度の角度で開くことで、４つのボトムアーム１０〜１３を用いて小棚４９を形成することができる。この小棚４９には、ノートや本などを置くことができる。また、図７に示すように、先端拡張子４３にクリップ６００を設けることで、ペーパー等も挟持することができ、便利である。
【００４０】
なお、図８のような二股状の取付軸部６３，６４に代えて、一つの軸部に対し、円板状の回転取付部を回転自在に取り付けて、トップアーム１００，１０１やボトムアーム１０〜１３を回転自在に取り付けてもよい。この場合には、回転取付部の相互の接触面に摩擦機構や溝などを設けてクリック係止が可能なように構成する。これにより、任意角度で各アーム１０〜１３、１００，１０１を停止させることができる。
【００４１】
上記実施形態では、トップノブ６０、支軸伸縮部５、ボトムアーム１０〜１３、リンクデバイス６５などを備えたバッグハンガ１としているが、これらは適宜省略してもよい。すなわち、掛け吊り用のテーブル上面４０３に掛けられるトップフック７と、前記トップフック７に連続する支軸３と、前記支軸３の下部に取り付けられるボトムフック５０と、前記トップフック７の上部に取り付けられる二つのトップアーム１００，１０１とを備えればよい。そして、トップアーム１００，１０１は、テーブル上面４０３に沿って相互が拡開する開位置、及び相互が閉じる閉位置との間で変位可能であり、前記開位置の二つのトップアーム１００，１０１と前記トップフック７の先端部とによりテーブル上面４０３に三カ所支持で取り付けられる構成であればよい。
【００４２】
さらに、上記の最小構成に、前記トップフック７の上部に設けられ、バッグ３０５のハンドル部分３０６が掛けられるトップノブ６０を有することが好ましい。また、トップアーム１００，１０１は、トップノブ６０に回転可能に取り付けられるアーム本体１００ａ，１０１ａと、このアーム本体１００ａ，１０１ａのトップノブ６０側とは反対側の自由端部に取り付けられるヒンジ１０２，１０３と、前記ヒンジ１０２，１０３により連結される中間拡張子１１０，１１１とを有し、前記ヒンジ１０２，１０３によりテーブル上面４０３に沿って前記中間拡張子１１０，１１１が開いて該上面４０３に係止する使用位置と、前記トップフック７に向けて前記中間拡張子１１０，１１１が折り畳まれる退避位置との間で変位可能に構成されていることが好ましい。なお、中間拡張子１１０，１１１は省略してもよい。
【００４３】
さらに、前記中間拡張子１１０，１１１のテーブル上面４０３に接触する部分は滑り止め部材９９が取り付けられることにより、テーブル４００，４０５に中間拡張子１１０，１１１を確実に係止させることができ、バッグハンガ１の脱落を阻止することができる。
【００４４】
前記トップフック７のフック先端とは反対側の下部、または前記支軸３の上部には、前記フック先端に向けて突出し、前記テーブル上面４０３から鉛直下方に延びる側面に接触する側面接触突起部２００を更に有することにより、バッグハンガ１のバランスを取ることができ、バッグ３００の重量を効果的にトップフック７やトップアーム１００，１０１、更には側面接触突起部２００に分散させることができ、バッグハンガ１を確実にテーブル上面４０３に係止させることができる。
【００４５】
図９に示すように、トップフック７の内面には小突起２５０を形成し、この小突起２５０を前記掛け吊り用の上面に当てることにより、トップフック７と２本のトップアーム１００，１０１の三カ所支持に加えて、さらに追加の支持を加えることができ、バッグハンガ１の上面への係止を確実に行うことができる。特に、テーブルの角部が丸く面取り加工されている場合や、さらにテーブルの縁が革等で盛り上げられている場合でも、この小突起２５０が面取り加工部分や革等で盛り上がった部分に係止し、トップフックが７脱落することなく、確実に上面に係止させることができる。
【００４６】
小突起２５０は、トップノブ６０よりもフック７の先端から遠ざかる位置で形成されていることにより、トップノブ６０にバッグのハンドル部分を吊り下げた場合でも、小突起２５０にバッグの荷重がかかり、係止が確実に行える。また、掛け吊り用の上面に当たる小突起２５０の下端面に、滑り止め部材としてのキャップ２５１を設けることにより、係止をより一層、確実に行うことができる。
【００４７】
さらに、ボトムフック５０に取り付けられ、前記バッグ３００のハンドル部分３０１に接続される接続部材としてのリンクデバイス６５を有することにより、通常はバッグ３００のハンドル部分３０１に吊り下げておき、テーブル上面４０３にバッグ３００を吊るすときに、トップアーム１００，１０１を拡げて、テーブル上面４０３に係止させることにより、即時にバッグハンガ１として使用することができる。
【００４８】
また、前記支軸３に対し略垂直になる開状態に変位可能であり、前記開状態のときに小棚４９を形成する複数のボトムアーム１０〜１３を有することにより、フック等に吊り下げることができないノートや小物等を載せておくことができる。
【００４９】
前記複数のボトムアーム１０〜１３は、一端が前記支軸３に対し軸周り方向に回転可能に取り付けられているボトムアーム本体１０ａ〜１３ａと、前記ボトムアーム本体１０ａ〜１３ａの他端に設けられるヒンジ１５〜１８と、ヒンジ１５〜１８により連結されて前記開状態と閉状態との間で変位可能な中間拡張子２０〜２３とを有することにより、使用する時はこれらを拡げることで比較的広い面積の小棚４９を形成することができる。
【００５０】
さらに、前記中間拡張子２０〜２３は、先端に旋回ヒンジ３０〜３３と、この旋回ヒンジ３０〜３３により回転自在に取り付けられ、該中間拡張子２０〜２３の延長方向に位置する開位置と、該中間拡張子２０〜２３に重なる閉位置との間で変位可能な先端拡張子４０〜４３とを有することにより、更に広い面積の小棚４９を形成することができる。
【符号の説明】
【００５１】
１  バッグハンガ
２  ハンガ本体
３  支軸
７  トップフック
１０〜１３  ボトムアーム
１０ａ〜１３ａ  ボトムアーム本体
１５〜１８  ヒンジ
２０〜２３  ボトムアーム中間拡張子
３０〜３３  旋回ヒンジ
４０〜４３  先端拡張子
４９  小棚
５０  ボトムフック
６０  トップノブ
６５  リンクデバイス
７０  リング
７１  チェーン
９９  滑り止め部材
１００ａ〜１０１ａ  トップアーム本体
１００，１０１  トップアーム
１０２，１０３  ヒンジ
１０４，１０５  取付端部
１１０，１１１  トップアーム中間拡張子
２００  側面接触突起部
２５０  小突起
３００，３０５  バッグ
３０１，３０６  ハンドル部分
４００，４０５  テーブル
４０１  足
４０２  端面
４０３  上面
４１０  側面
【図１】
2011036659.tif 000003
【図２】
2011036659.tif 000004
【図３】
2011036659.tif 000005
【図４】
2011036659.tif 000006
【図５】
2011036659.tif 000007
【図６】
2011036659.tif 000008
【図７】
2011036659.tif 000009
【図８】
2011036659.tif 000010
【図９】
2011036659.tif 000011